(57)【要約】  中心開口を有するディスク用の収容システムは、ヒンジ式に接続可能な一組のディスクトレイ（１０）と、その軸の軸線（２１）上でトレイ（１０）の１つに取り付けるための１対の軸部材（３０）と、軸部材（３０）が係合するヒンジ台（４６）を有する収容容器（４０）とを有している。隣接するトレイ（１０）間のヒンジ式の接続は、異なるトレイのそれぞれのヒンジ軸線（１７）上でピボット運動をするタブ（１６）によって実装されており、タブ（１６）は隣接するトレイのそれぞれのタブキャビティ（２２）と係合可能である。【選択図】図１
2013500910.tif 000002
【特許請求の範囲】
【請求項１】
中心の開口と、前面および背面の表面と、外側の周囲とを有する種類のディスク用の第１のディスクトレイであって、
（ａ）ディスクの１つを保持するハブを有するトレイパネル部分と、
（ｂ）前記トレイ部分の側部の角の余白に沿って位置するタブ軸線上で前記パネル部分にヒンジ式に接続されているタブ部分と
を有しており、
（ｃ）前記トレイパネル部分が、第２のディスクトレイのタブ部分を受け入れるタブキャビティを内部に有するように形成されていることにより、前記第１および前記第２のディスクトレイが、ヒンジ式に前記タブ軸線上で接続されて、同一平面上にある開状態から向き合っている閉状態までピボット運動可能である、
ディスクトレイ。
【請求項２】
前記タブ部分にはタブキャッチが形成されており、前記トレイパネル部分が、前記タブキャビティと交わって前記第２のディスクトレイのタブキャッチがスナップ係合するタブキャッチキャビティを有するように形成されている、請求項１に記載のディスクトレイ。
【請求項３】
前記タブキャッチキャビティが、前記第２のディスクトレイの前記タブキャッチの係合解除が容易になるように、前記トレイパネル部分内のタブキャッチ開口によって形成されている、請求項２に記載のディスクトレイ。
【請求項４】
前記タブ部分が第１のタブ部分であり、前記タブキャビティが第１のタブキャビティであって、
（ａ）本ディスクトレイが、前記タブ軸線上で前記パネル部分にヒンジ式に接続されて、前記第１のタブ部分から離れている第２のタブ部分をさらに有しており、
（ｂ）前記トレイパネル部分の内部には第２のタブキャビティが形成されており、前記第１および第２のタブキャビティが、前記第２のディスクトレイの第２のタブ部分を受け入れるように、前記第１および第２のタブ部分に対応して離れていることによって、前記第１および第２のディスクトレイが、前記第１のディスクトレイの前記第１および第２のタブキャビティと係合する前記第２のディスクトレイの前記第１および第２のタブ部分の両方によって、前記タブ軸線上でヒンジ式に接続されている、
請求項１に記載のディスクトレイ。
【請求項５】
前記トレイパネル部分が、その収容位置に前記タブ部分の一部を受け入れるように、前記タブ軸線の近傍にタブ収容キャビティを有するように形成されている、請求項１に記載のディスクトレイ。
【請求項６】
前記トレイパネル部分が、前記タブ部分を収容位置に解除可能に保持している前記タブ収容キャビティ内に延びるリップ凸部を有するように形成されている、請求項５に記載のディスクトレイ。
【請求項７】
前記トレイパネル部分が、前記トレイをピボット運動可能に支持する軸の軸線を画定する手段をさらに有している、請求項１に記載のディスクトレイ。
【請求項８】
前記軸の軸線がヒンジ軸線に平行である、請求項７に記載のディスクトレイ。
【請求項９】
前記軸の軸線を画定する手段が、１対の軸部材を受け入れるように、前記トレイパネル部分の両端の先端部分内にそれぞれ形成された反対方向に向く１対の軸キャビティを有している、請求項７に記載のディスクトレイ。
【請求項１０】
前記トレイパネル部分が、前記軸部材の対応するかかりが係合するように、前記軸キャビティのそれぞれ１つに交わる１対の軸かかりキャビティを有するように形成されている、請求項９に記載のディスクトレイ。
【請求項１１】
前記かかりキャビティの各々が、前記軸かかりとの係合解除が容易になるように軸かかり開口によって形成されている、請求項１０に記載のディスクトレイ。
【請求項１２】
前記軸の軸線を画定する手段が、前記軸の軸線上の前記パネル部分から反対側に突出している一体形成された１対の軸部分を有している、請求項７に記載のディスクトレイ。
【請求項１３】
前記ハブが第１のハブであり、前記トレイパネル部分が、前記ディスクの追加の１つを保持する第２のハブを有している、請求項１に記載のディスクトレイ。
【請求項１４】
前記ハブが、前記トレイパネル部分の向かい合う側で互いに対してオフセットしている関係である、請求項１３に記載のディスクトレイ。
【請求項１５】
（ａ）背骨部分の向かい合う側方端に沿ってヒンジ式に接続されている１対のメインパネル部分と、前記背骨部分の内表面から突出する、互いに離間した１対のヒンジ台とを有し、開状態と閉状態とを有する収容容器と、
（ｂ）請求項７に記載のＮ個のディスクトレイの組と、
（ｃ）各々が前記ディスクトレイの１つの前記軸キャビティと係合するシャンク部分と、前記ヒンジ台のそれぞれ１つと係合するシャフト部分とを有する１対の軸部材と
を有するディスク収容システムであって、
前記ディスクトレイが、Ｎ−１個の前記トレイの前記タブ部分と、異なるトレイの前記タブキャビティとの係合によってヒンジ式に接続され、かつ前記軸部材が前記トレイの１つの前記軸キャビティに係合すると、前記軸部材が、前記ディスクトレイの組をピボット運動可能に支持するように前記収容容器の前記ヒンジ台に係合することができ、前記閉状態の前記容器が前記ディスクトレイの組を取り囲む、
ディスク収容システム。
【請求項１６】
前記ヒンジ台の各々が、前記軸部材の前記シャフト部分が係合するためのＵ字形状のスロットを有するように形成されており、前記スロットが、前記背骨部分の前記内表面とは反対を向いていることにより、１つの前記ディスクトレイがその軸の軸線を中心にピボット運動すると、前記軸部材が前記背骨部分の前記内表面に対して動くことができる、請求項１２または１５に記載のディスク収容システム。
【請求項１７】
前記ヒンジ台の各々が、前記Ｕ字形状スロットの遠位端の近傍に、対応する前記軸部材の前記軸部材シャフト部分とスナップ係合するための制限要素を有している、請求項１６に記載のディスク収容システム。
【請求項１８】
前記メインパネル部分の各々が、追加の１対のディスクを保持するように、その内表面上にハブを有するように形成されている、請求項１２または１５に記載のディスク収容システム。
【請求項１９】
（ａ）各ディスクトレイの前記ハブが第１のハブであり、各ディスクトレイの前記トレイパネル部分が前記ディスクの追加の１つを保持する第２のハブを有しており、これらのハブが、前記トレイパネル部分の両側で互いにオフセットしている関係にあり、
（ｂ）Ｎが５であり、前記ケースの前記閉状態にある該システムの全幅が約２７．５ｍｍ以下であり、全部で１２個の包囲されたハブの各々が、ディスク厚さ約１．３ｍｍ以下のデータディスクを保持している、
請求項１８に記載のディスク収容システム。
【請求項２０】
前記ディスクトレイの各々の前記タブ部分にはタブキャッチが形成されており、前記トレイパネル部分が、前記タブキャビティと交わって前記ディスクトレイの組の異なるディスクトレイのタブキャッチがスナップ係合するタブキャッチキャビティを有するように形成されており、前記タブキャッチキャビティは、前記異なるディスクトレイの前記タブキャッチの係合解除が容易になるように、前記トレイパネル部分内のタブキャッチ開口によって形成されている、請求項１２または１５に記載のディスク収容システム。
【請求項２１】
前記ディスクトレイの少なくとも１つの前記トレイパネル部分が、その収容位置で前記タブ部分の一部を受け入れるように、前記タブ軸線の近傍にタブ収容キャビティを有するように形成されており、前記トレイパネル部分が、前記タブ部分を収容位置で解除可能に保持するように、前記タブ収容キャビティ内に延びるリップ凸部を有するように形成されている、請求項１２または１５に記載のディスク収容システム。
【請求項２２】
前記軸部材の各々の柄の部分にはかかりが形成されており、各ディスクトレイの前記トレイパネル部分が、前記軸キャビティのそれぞれ１つと交わって前記軸部材の対応するかかりが係合する１対の軸かかりキャビティを有するように形成されている、請求項１２または１５に記載のディスク収容システム。
【請求項２３】
中心の開口と、前面および背面の表面と、外側の周囲とを有する種類のディスク用のディスク収容システムであって、
（ａ）背骨部分の向かい合う側方端に沿ってヒンジ式に接続された１対のメインパネル部分と、前記背骨部分の内表面から突出する、互いに離間した１対のヒンジ台とを有する収容容器であって、前記メインパネル部分の各々が、追加のデータディスクを保持するようにその内表面上にハブを有しており、開状態と閉状態とを有する収容容器と、
（ｂ）Ｎ個のディスクトレイの組であって、各ディスクトレイが、
（ｉ）１対の前記ディスクを保持するための、両側でオフセット関係にある１対のハブが形成されているトレイパネル部分と、
（ｉｉ）前記トレイ部分の側部の角の余白に沿って位置するタブ軸線上で前記パネル部分にヒンジ式に接続された、互いに離間する１対のタブ部分と
を有しており、
（ｉｉｉ）前記トレイパネル部分が、第２のディスクトレイのそれぞれのタブ部分を受ける１対のタブキャビティを内部に有するように形成されていることにより、前記第１および第２のディスクトレイが前記タブ軸線上でヒンジ式に接続され、
（ｉｖ）前記トレイパネル部分が、両端の末端部分に形成された反対に向く１対の軸キャビティであって、１対の軸部材を受け入れるようにヒンジ軸線に平行な軸の軸線に沿っている軸キャビティを有している、
Ｎ個のディスクトレイと、
（ｃ）各々が、前記ディスクトレイの前記軸キャビティと係合するシャンク部分と、前記ヒンジ台のそれぞれと係合するシャフト部分とを有する１対の軸部材と
を有しており、
前記ディスクトレイが、Ｎ−１個の前記トレイの前記タブ部分と、異なるトレイの前記タブキャビティとの係合によってヒンジ式に接続され、かつ前記軸部材が前記トレイの１つの前記軸キャビティに係合すると、前記軸部材が、前記ディスクトレイの組をピボット運動可能に支持するように前記ヒンジ台に係合することができ、前記閉状態の収容容器が、前記容器が前記ディスクトレイの組を取り囲む、
ディスク収容システム。
【請求項２４】
前記ヒンジ台の各々が、前記軸部材の前記シャフト部分が係合するＵ字形状のスロットを有するように形成されており、前記スロットが前記背骨部材の前記内表面とは反対を向いていることにより、１つの前記ディスクトレイがその軸の軸線を中心にピボット運動するときに、前記軸部材が前記背骨部分の前記内表面に対して動くことができる、請求項２３に記載のディスク収容システム。
【発明の詳細な説明】
【技術分野】
【０００１】
本発明は、中心の円形の位置決め開口を有するコンパクトディスク（ＣＤ）およびビデオディスク（ＤＶＤ）などの光学データディスクに関し、特にそのようなディスクの収容のためにそのようなディスクを保護するように囲む装置に関する。
【背景技術】
【０００２】
複数のディスク用のトレイを有するディスク収容容器が知られている。たとえば、Ｗｉｅｓｂｕｒｎ等に対する特許文献１、本発明者に対する特許文献２、およびＫｗａｎに対する特許文献３を参照。これらの容器は、過度にかさばること、過度に複雑であること、および／または組み立てが困難で間違って配置しやすいさまざまな大きさと構成の外れる部品を有していることについて完全に満足できるのものではなかった。
【先行技術文献】
【特許文献】
【０００３】
【特許文献１】米国特許第５６９７４９８号
【特許文献２】米国特許第６５５４１３２号
【特許文献３】米国特許第７３２２４６８号
【発明の概要】
【発明が解決しようとする課題】
【０００４】
したがって、一体形成された筐体を有しており、複数のディスク収容部分に対して安価な変更が可能か、そうでなければ従来技術の欠点を克服する保護用ディスク容器に対する要求がある。
【課題を解決するための手段】
【０００５】
本発明は、同一の構成で任意の順序で結合したり結合解除したりできる複数のディスクトレイを収容する成形されたディスク容器を提供することによって、この要求に対応する。本発明の一態様において、第１のディスクトレイは、ディスクの１つを保持するハブを有するトレイパネル部分と、トレイ部分の側部の角の余白に沿って位置するタブ軸線上でパネル部分にヒンジ式に接続されているタブ部分とを有し、トレイパネル部分が、第２のディスクトレイのタブ部分を受け入れるタブキャビティを内部に有するように形成されていることにより、第１および第２のディスクトレイがタブ軸線上でヒンジ式に接続されて、同一平面上にある開状態から向き合っている閉状態までピボット運動可能である。タブ部分の上にはタブキャッチが形成されており、トレイパネル部分はタブキャッチキャビティを有しており、第２のディスクトレイのタブキャッチによってスナップ係合するようにタブキャビティを交わるようにすることが好ましい。タブキャッチキャビティは第２のディスクトレイのタブキャッチの係合解除が容易になるように、トレイパネル部分内のタブキャッチ開口によって形成されていることが好ましい。タブ部分は第１のタブ部分とすることができ、タブキャビティは第１のタブキャビティであり、ディスクトレイは、タブ軸線上でパネル部分にヒンジ式に接続されており、第１のタブ部分から離れている第２のタブ部分をさらに有し、トレイパネル部分は第２のタブキャビティを有しており、第１および第２のタブキャビティは第２のディスクトレイの第２のタブ部分を受け入れるように第１および第２のタブ部分に対応して離れており、それによって、第１および第２のディスクトレイは、第１のディスクトレイの第１および第２のタブキャビティと係合する第２のディスクトレイの第１および第２のタブ部分の両方によってタブ軸線上でヒンジ式に接続される。
【０００６】
トレイパネル部分は、トレイパネル部分の収容位置内にタブ部分の一部を受け入れるように、タブ軸線の近傍にタブ収容キャビティを有するように形成されていることが好ましい。トレイパネル部分はタブ部分を収容位置に解除可能に保持しているタブ収容キャビティ内に延びるリップ凸部を有するように形成されていることが好ましい。
【０００７】
トレイパネル部分はトレイをピボット運動可能に支持するように軸の軸線を定めていることが好ましい。軸の軸線は、軸の軸線上でピボット運動可能に支持されている一組の接続されているディスクトレイをめくることが促進されるように、ヒンジ軸線に平行であることが好ましい。軸の軸線は、１対の軸部材を受け入れるように、トレイパネル部分の両端の末端部分内にそれぞれ位置する反対方向に向いた一対の軸キャビティによって定めることができる。トレイパネル部分は、軸部材の対応するかかりが係合する、軸キャビティのそれぞれ１つに交わる１対の軸かかりキャビティを有することが好ましい。かかりキャビティの各々は、軸かかりとの係合解除が容易になるように軸かかり開口によって形成されていることが好ましい。軸キャビティの代わりに、トレイは軸の軸線上のトレイパネル部分と一体形成された１対の軸部分を有することができる。
【０００８】
ディスクトレイのハブは第１のハブであり、トレイパネル部分はディスクの追加の１つを保持する第２のハブを有していることが好ましい。ハブは、トレイの厚さを減少させることができるように、トレイパネル部分の向かい合う側で互いに対してオフセットしている関係であることが好ましい。
【０００９】
本発明の他の態様において、ディスク収容システムは、背骨部分の向かい合う側方端に沿ってヒンジ式に接続されている１対のメインパネル部分と、背骨部分の内表面から突出する、互いに離間した１対にヒンジ台とを有する収容容器；ハブと、タブ部分と、トレイパネル部分のタブキャビティとを備えているトレイパネル部分を有するＮ個のディスクトレイの組；ならびに、各々が、ディスクトレイの１つの軸キャビティと係合するシャンク部分と、ヒンジ台のそれぞれ１つと係合するシャフト部分とを有する１対の軸部材を含んでおり、ディスクトレイが、Ｎ−１個のトレイのタブ部分と、異なるトレイのタブキャビティとの係合によってヒンジ式に接続され、かつ軸部材がトレイの１つの軸キャビティに係合すると、軸部材が、一組のディスクトレイをピボット運動可能に支持するように、収容容器のヒンジ台に係合することができ、閉状態で容器は一組のディスクトレイを囲む軸部材とを有している。当然、Ｎはたった１つとすることが可能で、その場合、１つのみのトレイが容器内に含まれることになり、そのタブキャビティは空になる。ヒンジ台の各々は、軸部材のシャフト部分が係合するＵ字形状のスロットを有するように形成されており、スロットは、１つのディスクトレイがその軸の軸線を中心にピボット運動するときに軸部材が背骨部分の内表面に対して動けるように背骨部分の内表面とは反対を向いていることが好ましい。ヒンジ台は各々、対応する軸部材の軸部材シャフト部分のＵ字形状スロット内へのスナップ係合用に、Ｕ字形状スロットの遠位端の近傍に制限要素を有していることが好ましい。
【００１０】
メインパネル部分の各々は、追加の１対のディスクを保持するように、その内表面上にハブを有するように形成されていることが好ましい。各ディスクトレイのハブは第１のハブであり、各ディスクトレイのトレイパネル部分はディスクの追加の１つを保持する第２のハブを有しており、第１および第２のハブは、トレイパネル部分の両側で互いにオフセットしている関係にあり、システムが５個のディスクトレイを有する場合、閉状態にあるケースの全幅は約２７．５ｍｍ以下であることが好ましく、この場合、全部で１２個の包囲されたハブの各々が、ディスク厚さ約１．３ｍｍ以下のデータディスクを保持している。
【００１１】
ディスクトレイの各々のタブ部分の上にはタブキャッチが形成されており、トレイパネル部分は一組のディスクトレイの異なるディスクトレイのタブキャッチによってパチンと係合するようにタブキャビティと交わっており、異なるディスクトレイのタブキャッチの係合解除が容易になるようにトレイパネル部分内のタブキャッチ開口によって形成されているタブキャッチキャビティを有するように形成されていることが好ましい。
【００１２】
ディスクトレイの少なくとも１つのトレイパネル部分は、その収容位置でタブ部分の一部を受け入れるようにタブ軸線の近傍のタブ収容キャビティを有するように形成されており、トレイパネル部分はタブ部分を収容位置で解除可能に保持するようにタブ収容キャビティ内に延びるリップ凸部を有するように形成されていることが好ましい。
【００１３】
軸部材の各々の柄の部分にはかかりが形成されており、各ディスクトレイのトレイパネル部分は、軸部材の対応するかかりが係合する軸キャビティのそれぞれ１つと交わっている１対の軸かかりキャビティを有するように形成されていることが好ましい。
【００１４】
本発明のこれらそして他の特徴、態様、および利点は、以下の説明、添付の請求項、および添付の図面を参照することによって、よりよく理解されるであろう。
【図面の簡単な説明】
【００１５】
【図１】本発明のピボット運動可能なディスクトレイの透視断面図である。
【図２】図１のトレイの開いて緩い位置にあるタブ部分の透視詳細図である。
【図３】閉状態に向けて動いているタブ部分を示す詳細透視断面図である。
【図４】タブ部分の移動の範囲を示す詳細断面図である。
【図５】一方のトレイのタブ部分が他方のトレイに挿入されるように揃えられている、図１の２つのトレイの部分を示す詳細透視断面図である。
【図６】図５の６−６に沿っている詳細透視断面図である。
【図７】接続されて同一平面上に位置するトレイを示す詳細図である。
【図８】図７の８−８に沿っている詳細断面図である。
【図９】接続され、向き合っている関係にある図１のトレイの３つと、そのタブ部分を他のトレイの１つに挿入するために揃えられている４番目のトレイと、トレイの１つに挿入するために揃えられている１対の軸部材とを示す断面図である。
【図１０】図９の１つの軸部材の詳細前部透視図である。
【図１１】図１０の軸部材の後部透視図である。
【図１２】図９のトレイの１つと係合している図１０と１１の軸部材の１つを示す詳細透視断面図である。
【図１３】接続されて向き合っている関係にある図１のトレイの５つを示しており、図１０の軸部材がトレイの中央の１つに係合している詳細透視図である。
【図１４】保護ディスクケースのヒンジ構造に係合するように揃えられている図１３のトレイの透視図である。
【図１５】図１４の領域１５内の詳細透視図である。
【図１６】図１４のケースのメインパネル部分に向いている関係にあるトレイを示す図１４の状態の詳細図である。
【図１７】図１４のケースの向かい合うメインパネル部分の間で展開している関係にある図１６のトレイを示す透視図である。
【図１８】図１７の領域１８内の詳細透視図である。
【図１９】図１３のトレイを囲んでいる図１４のケースの部分端面図である
【図２０】図１０の軸部材の代替の構成を示す前部透視図である。
【図２１】図２０の軸部材の後部透視図である。
【図２２】図１のトレイの代替の構成を有するトレイに係合している図２０の軸部材を示す図１２の状態の詳細透視断面図である。
【図２３】図２２の構成を有する５つのトレイの中央の１つに係合している図２０の軸線部材を示す図１３の状態の詳細透視断面図である。
【図２４】図１０の軸部材の他の代替の構成を示す前部透視図である。
【図２５】図２４の軸部材の後部透視図である。
【図２６】図１のトレイの対応する代替の構成を有するトレイに係合するように揃えられている図２４の軸部材を示す詳細透視断面図である。
【図２７】図２６のトレイに係合している図２２の軸部材を示す図９の状態の詳細透視断面図である。
【図２８】図２６の構成を有する５つのトレイの中央の１つに係合している図２４の軸部材を示す図１３の状態の詳細透視図である。
【図２９】図１０の軸部材の追加の代替の構成を示す前部透視図である。
【図３０】図２９の軸部材の後部透視図である。
【図３１】図１のトレイの対応する代替の構成を有するトレイに係合するように揃えられている図２９の軸部材を示す詳細透視断面図である。
【図３２】図３１のトレイに係合している図２９の軸部材を示す図１２の状態の詳細透視断面図である。
【図３３】図３１の構成を有する５つのトレイの中央の１つに係合している図２９の軸部材を示す図１３の状態の詳細透視図である。
【図３４】図１のトレイと一体形成された図１０の軸部材を示す詳細透視断面図である。
【発明を実施するための形態】
【００１６】
本発明は、様々な数のＣＤやＤＶＤなどのディスクを保護して収容するのに特に有効で構成可能であるディスク容器を対象としている。１つの好ましい構成において、図１〜８の図を参照すると、ディスクトレイ１０は、横方向にオフセットしている関係にある１対のそのようなディスク（不図示）をその向かい合う側で受け入れるように構成されているパネル部分１２を有しており、ディスクを従来の態様で保持するように前方に向いているハブ部分１４と後方に向いているハブ部分１５とを有している。トレイは、図２に示すようにトレイ１０のヒンジ軸線１７を定めているいわゆるＡｌｉｖｉｎｇヒンジ（商標）によってパネル部分１２に接続されており離れている一体形成された１対のタブ部材１６を有しており、図４に関連して本明細書でさらに説明するように、ヒンジ軸線は１８０Ｅを超える内角にわたって各タブ部材がピボット運動をできるようにパネル部分１２の長さ方向の後部の角の余白に沿って延びている。図３〜８に示すように、パネル部分１２の下側は、図６と７に示すピボット運動の一方の端の位置でタブ収容キャビティ内に部分的に収容されているそれぞれの後退している位置において、タブ部材１６を解除可能に保持する１対のタブ収容キャビティ１８を備えるように形成されている。図４は、実線で表している休止位置から展開している位置までの角度Ａと、後退している位置までの反対の角度Ｂにわたる運動の第１の範囲を有するタブ部材１６をさらに示している。図示の典型的な構成において、角度Ａは９０Ｅであり、角度Ｂは約１１３Ｅである。角度ＡとＢとは、タブ部分１６がそれぞれの後退している位置においてタブ収容キャビティ内に部分的に収容されるように合計で少なくとも１９０Ｅであることが好ましく、以下でさらに説明するように、タブ部分は、ラッチキャビティにパチンと係合する。
【００１７】
トレイ１０は、以下で説明するように図２に一番わかりやすく示すように、ヒンジ軸１７に比較的狭い間隔で平行な軸の軸線２１上にそれぞれの軸部材を受け入れる対向して配置されている１対の軸キャビティ２０も備えるように形成されている。さらに、トレイ１０は以下でまた説明するように異なるトレイ１０のタブ１６を受け入れる１対のタブキャビティ２２を備えるように形成されている。
【００１８】
図５と６とは２つのトレイの一部を示しており、第１のトレイは図１〜４のトレイ１０であり、同じ向きであって、１０’で指定している第２のトレイは、裏返されており、そのタブ部材を有しており、その１つを示しており、１６’で指定されており、第１のトレイ１０の対応するタブキャビティ２２と係合するように展開している位置で揃えられている。図７と８は、第１のトレイ１０の対応するタブキャビティ２２にパチンと係合している第２のトレイ１０’のタブ部材１６’に接続されているトレイ１０と１０’を示している。図７の矢印で示すように、トレイは、第２のトレイ１０’の１７’で示すヒンジ軸線を中心として向かい合う関係にピボット運動が可能である。
【００１９】
当然、前述のＡｓｎａｐ係合（登録商標）は多くの方法で達成可能である。たとえば、トレイ１０の典型的な構成において、後退位置にあるタブ部材１６のスナップ係合は、対応するタブ部材１６の自由端２５によってパチンと係合するように、図３と４とに示すようにタブ収容キャビティ１８内にわずかに突き出すように形成されたそれぞれのリップ要素２４によってもたらされる。同様に、タブ部材は、突き出しているタブキャッチ要素を有するように形成されており、そのような１つを図３において２６で示しており、他を図５、６、および８において２６’で示しており、第２のトレイ１０’のタブキャッチ部材２６’は図８に示すように第１のトレイ１０のタブキャッチ開口２８によって形成されているタブキャビティ内に突き出している。タブキャッチ開口２８は、適切な工具（不図示）を使用した第２のトレイ１０’のタブ部材１６Ａの解除および／またはタブ部材１６の後退位置からの解除を促進するように、パネル部材１２を通して延びていることが好ましい。
【００２０】
図９〜１９をさらに参照すると、図１〜８に示す３つのトレイ１０が、前述のようにタブ係合によって向き合うように結合されており、１番下のトレイのタブ部分１６はそれぞれ収容位置にあり、図５〜８のトレイ１０’に該当している第４のトレイは図９に示すように３つのトレイのうち最も上のトレイにピボット結合するように揃えられている。隣接して結合されているトレイ１０の各対は、ヒンジ軸線１７のそれぞれの１つの上で、図７に示すような、同一平面上にある開状態から、図９に示すような、向き合っている閉状態まで、１８０Ｅピボット運動可能である。図９にさらに示すように、３０で示す１対の前述の軸部材は、対応する軸キャビティ２０内へ挿入するように、３つのトレイ１０の中央の１つの軸の軸線２１上に揃っている。
【００２１】
図１０と１１に示すように、軸部材３０は各々が軸キャビティ２０内へ挿入するために断面が長方形の柄の部分３２を有しており、柄の部分の末端は、軸キャビティの選択された１つにおける軸部材の解除可能な着座した保持のために上向きに突き出しているかかり３３を有しており、かかりは図１２に示すようにそれぞれの軸開口３４によって形成されている対応する軸かかりキャビティにパチンと係合する。軸部材３０は各々が軸キャビティ２０に隣接するトレイ１０のパネル部分に接触して着座するフランジ部分３５と、柄の部分３２とは反対で同軸のフランジ部分３５から延びるシャフト部分３６とを有している。フランジ部分３６は、適切な工具（不図示）を使用した軸部材のトレイからの引き出しを促進するように、図１１に示すように凹部３７を備えるように形成されており、軸開口３４は必要に応じて追加の工具（不図示）を使用したかかりの係合解除が容易になる。
【００２２】
図１３は５つのトレイ１０が接続されている積層３８を示しており、軸部材３０の１つがトレイの中央の１つの軸キャビティ２０内に着座しており、他の軸部材（不図示）が中央のトレイの反対の軸キャビティ内に同様に着座している。図１４と１５は、背骨部材４４の向かい合う長さ方向の縁に沿ってヒンジ式に接続されている１対のメインパネル４２を有する収容ケース４０内に組み込むように配置されている前述のトレイの積層を示しており、離れている１対のヒンジ台４６が背骨部材４４の内表面４７から上向きに突き出している。メインパネル４２の各々は、追加のディスクを保持するようにその内表面４１上に形成されており、４５で示すハブ１４の対応する部分を有している。図１５にもっともわかりやすく示すように、各ヒンジ台４６はフランジ補強された上向きのＵ字状チャネル４８を形成しており、内向きの戻り止め要素５０が基部の上側つまり遠方の先端に位置しており、戻り止めは軸部材３０がパチンと係合するように制限部分を形成している。
【００２３】
図１６は、ヒンジ台４６にパチンと係合しており、メインパネル４２の一方に当たってその上に配置されているトレイスタック１８を示しており、図１７と１８はヒンジによって展開状態に分離されているスタック１８を示しており、隣接している対のトレイ１０は、ヒンジ軸線１７の異なる１つを中心に別々のピボット運動を行い、そのようなヒンジ軸線の１つを図１８に破線で示している。
【００２４】
典型的には、本発明のディスクトレイ１０と収容ケース４０とは、外径１２０ｍｍ、内径１５ｍｍ、厚さ１．２ｍｍ〜１．３ｍｍの従来のディスク用に構成されている。ディスク容器１０のトレイ１０と収容ケース４０の両方に対して適切な材料はポリプロピレンプラスチックである。図１９に示すように、図１４の場合の典型的な構成は、５つのトレイ１０を収容しており、トレイの各々は、１対のデータディスクを保持することが可能で、厚さ約０．１５６インチ（４ｍｍ）である。閉状態のケースの幅Ｗは約１．０８インチ（２７．５ｍｍ）であり、ケースは前述の寸法を有する１２個のデータディスクの容量を有する。
【００２５】
図２０〜２３をさらに参照すると、３０Ａで示されている軸部材の代替の構成が、図１９と２０に最もわかりやすく示すように、貫通している開口３１を有するシャフト部分３６を備えるように形成されている。３２Ａで示されている柄の部分も、代替の構成のキャビティを有しており１０Ａで示されているトレイの２０Ａで示されており対応して十字に形作られているその軸キャビティに係合するように概ね十字に形作られている。他の点では、軸部材３０Ａはかかり３３、フランジ３５、およびその凹部３７に対応する部分を備えるように形成されている。図２１と２２は図１２と１３とにそれぞれ対応しており、トレイ１０Ａ内と、３３Ａで示されている対応するトレイスタックの中央のトレイ内とに着座している軸３０Ａを示している。開口３１は、有利には、軸部材３０Ａの材料を節約し、さらに重要なことは、より一様な断面厚さが材料の過度の収縮のない成形を促進する。当然、シャフト部分の他の形状によっても、断面厚さが減少する。たとえば、シャフト部分はその長さの少なくとも一部について十字の断面形状を有することができる。
【００２６】
さらに図２４〜２８を参照すると、３０Ｂで示されている軸部材の他の代替の構成が図１０の軸部材３０のシャフト部分３６に対応する部分を備えるように形成されている。図２３と２４とに最もわかりやすく示すように、３２Ｂで示す柄の部分は、２０Ｂで示されており対応する楕円形状の軸キャビティを有するトレイのその代替の構成のキャビティと係合するように断面が概ね楕円であり、トレイは１０Ｂで示されており、３３Ｂで示されているかかりの対応する部分は楕円形状の柄の部分３２Ｂと結合するように修正されている。他の点では、軸部材３０Ｂはフランジ３５およびその凹部３７に対応する部分を備えるように形成されている。図２５はトレイ１０Ｂの軸キャビティ２０Ｂへの挿入のために揃えられている軸３０Ｂを示しており、図２６と２７は図１２と１３とにそれぞれ対応しており、トレイ１０Ｂ内と、３３Ｂで示されている対応するトレイスタックの中央のトレイ内とに着座している軸３０Ｂを示している。
【００２７】
さらに図２９〜３３を参照すると、３０Ｃで示されている軸部材のさらに他の代替の構成も図１０の軸部分３０のシャフト部分３６に対応する部分を備えるように形成されている。図２９と３０とに最もわかりやすく示すように、３２Ｃで示す柄の部分は、２０Ｃで示されており、対応する円形の軸キャビティを有するトレイのその代替の構成のキャビティと係合するように断面が概ね円形であり、トレイは１０Ｃで示されており、３３Ｃで示されているかかりに対応する部分は円形の柄の部分３２Ｃと結合するように修正されている。他の点では、軸部材３０Ｃはフランジ３５およびその凹部３７に対応する部分を備えるように形成されている。図３１は、図２６に対応しており、トレイ１０Ｃの軸キャビティ２０Ｃへの挿入のために揃えられている軸３０Ｃを示している。図３２と３３は、図１２と１３とにそれぞれ対応しており、トレイ１０Ｃと、３８Ｃで示されている対応するトレイスタックの中央のトレイ内とに着座している軸３０Ｃを示している。軸部材は、軸部材の引き出し時に前述の工具の使用を促進するように凹部３７が所定の方向を向くように、トレイパネルに係合したときにトレイパネル部分に対して一定の角度の方向であることが好ましい。これは、軸部材３０、３０Ａ、および３０Ｂがそれぞれの軸キャビティ２０、２０Ａ、および２０Ｂと回転しない係合をする場合に実現される。軸部材３０Ｃが円形の断面を有する場合、かかり開口３４は軸部材を一定の方向で受け入れるように構成されており、かかり３３Ｃがかかり開口３４内に回転するように捕らえられることによって回転が防止される。
【００２８】
さらに図３４を参照すると、１０Ｄで示されるトレイの他の代替の構成が、３０Ｄで示される軸部材の対応する部分（１つの軸部分を示す）と一体形成されている。この構成は、軸部材の組み立ての必要が一切無い。トレイスタック３８の対応する部分を、１つのトレイ１０Ｄと任意の適切な数のトレイ１０、１０Ａ、１０Ｂ、１０Ｃ、または軸キャビティ２０のないトレイ１０に該当するトレイとを含むように形成することが考えられる。
【００２９】
好ましい実施形態の他の例として、本明細書ではディスクトレイが１つの前向きのハブと１つの後ろ向きのハブとを有するように示しているのに対して、代替として、両方のハブが同じ方向を向いているようにすることや、トレイあたり４つのディスクと保持するように、２つが前を向いており２つが後ろを向いているトレイあたり４つのハブを有することも可能である。
【００３０】
本発明を特定の好ましいその態様を参照して相当詳細に説明したが、他の態様も可能である。そのため、添付の請求項の精神と範囲とは本明細書に含まれている好ましい態様の説明に必ずしも限定すべきではない。
【図１】
2013500910.tif 000003
【図２】
2013500910.tif 000004
【図３】
2013500910.tif 000005
【図４】
2013500910.tif 000006
【図５】
2013500910.tif 000007
【図６】
2013500910.tif 000008
【図７】
2013500910.tif 000009
【図８】
2013500910.tif 000010
【図９】
2013500910.tif 000011
【図１０】
2013500910.tif 000012
【図１１】
2013500910.tif 000013
【図１２】
2013500910.tif 000014
【図１３】
2013500910.tif 000015
【図１４】
2013500910.tif 000016
【図１５】
2013500910.tif 000017
【図１６】
2013500910.tif 000018
【図１７】
2013500910.tif 000019
【図１８】
2013500910.tif 000020
【図１９】
2013500910.tif 000021
【図２０】
2013500910.tif 000022
【図２１】
2013500910.tif 000023
【図２２】
2013500910.tif 000024
【図２３】
2013500910.tif 000025
【図２４】
2013500910.tif 000026
【図２５】
2013500910.tif 000027
【図２６】
2013500910.tif 000028
【図２７】
2013500910.tif 000029
【図２８】
2013500910.tif 000030
【図２９】
2013500910.tif 000031
【図３０】
2013500910.tif 000032
【図３１】
2013500910.tif 000033
【図３２】
2013500910.tif 000034
【図３３】
2013500910.tif 000035
【図３４】
2013500910.tif 000036
【国際調査報告】
2013500910.tif 000037
2013500910.tif 000038